(57)【要約】      （修正有）【課題】清掃業務の負担を軽減できる、清掃用具セットを提供する。【解決手段】清掃用具１０はモップ本体１、接続部２、結合部３、台座４、回転盤５、洗浄盤６を有する。結合部３には、一対の結合ブロック３１及び上押圧部材３２を備えており、結合ブロック３１の中央に嵌合溝８を形成し、上押圧部材３２が回転盤の頂面を押圧保持する。台座４は突起部４１及び下押圧部材４２とを有し、下押圧部材が回転盤の底部を支持し、且つ下押圧部材の下端に第１位置決め部を有する。突起部は回転盤に開口した回転盤孔から嵌合溝まで貫通することで、回転盤を結合部と台座との間に挟持する。脱水槽は槽本体及び脱水かごを備え、脱水かごの中央に第２位置決め部を有し、下押圧部材の下端の第１位置決め部と脱水かごの第２位置決め部が互いに組み合わさって、清掃用具と脱水槽が互いに係止して位置決めの効果を発揮する。【選択図】図１
0003181661.tif 000002
【実用新案登録請求の範囲】
【請求項１】
清掃用具１０及び脱水槽９０を備え、前記清掃用具が、
中央に収容空間７を設けた一対のジョイント２１を有する接続部２と、
一端が前記接続部２と接続するモップ本体１と、
中央に回転孔５１を開口し、頂面と底面を有する回転盤５と、
前記回転盤５の前記底部に組立てられる洗浄部を有する洗浄盤６と、を備えた清掃用具セットであって、前記清掃用具１０が更に、
一対の結合ブロック３１及び上押圧部材３２を有し、前記一対の結合ブロック３１が上押圧部材３２上に設置され、前記一対の結合ブロック３１の中央に嵌合溝８が形成されて、前記上押圧部材３２の前記嵌合溝８に対応する箇所に嵌合孔３３を開口し、前記上押圧部材３２が前記回転盤５の前記頂面の前記回転孔５１周縁を押圧保持して、前記結合部３を前記接続部２の収容空間７に嵌設して、前記一対の結合ブロック３１が前記ジョイント２１に対応して設置された結合部３と、
突起部４１と下押圧部材４２を有し、前記下押圧部材４２が前記回転盤５の前記底面上の回転孔５１周縁を支持し、前記下押圧部材４２の下端に第１位置決め部４３が形成され前記台座４の前記突起部４１が前記回転孔５１から前記結合部３の嵌合溝８まで貫通する台座４と、及び、
本体９１と脱水かご９２とを備え、前記脱水かご９２の中央に第２位置決め部４４を設け、前記下押圧部材４２の下端の前記第１位置決め部４３と前記第２位置決め部４４が互いに組み合わさる脱水槽９０と、
を備えたことを特徴とする清掃用具セット。
【請求項２】
前記本体９１の底部に、第２位置決め部４４を有する洗浄部９３を備えたことを特徴とする請求項１に記載の清掃用具セット。
【請求項３】
前記第２位置決め部４４が着脱自在であることを特徴とする請求項１又は２記載の清掃用具セット。
【請求項４】
前記接続部２の前記ジョイント２１、前記結合部３の前記一対の結合ブロック３１及び前記台座の前記突起部４１の対応する位置にそれぞれピン孔２２を開口したことを特徴とする請求項１記載の清掃用具セット。
【請求項５】
ピン部材２３を前記ピン孔２２に貫通させたことを更に含むことを特徴とする請求項１記載の清掃用具セット。
【請求項６】
前記回転盤５の前記底面周縁に組立て部５２を設け、前記洗浄盤６が前記組立て部５２により前記回転盤５の前記底面に組立てられることを特徴とする請求項１記載の清掃用具セット。
【請求項７】
前記結合部３の前記結合ブロック３１が前記上押圧部材３２と一体成型されたことを特徴とする請求項１記載の清掃用具セット。
【請求項８】
前記台座４の前記突起部４１が前記下押圧部材４２と一体成型されたことを特徴とする請求項１記載の清掃用具セット。
【考案の詳細な説明】
【技術分野】
【０００１】
本考案は家庭用洗浄または清掃用具に関し、特に床、カーペット、家具、壁及び壁被覆物の清掃用具に関する。
【背景技術】
【０００２】
誰もが知っているように、モップで床掃除をするのは大変つらく、疲れる仕事であり、特に洗浄布に付着した汚れを洗浄するには、手で布上に付着した水分を絞る動作が必要なので、床掃除全体の負担を重くし、清掃者にとっては床掃除をしたくとも、ためらってしまう主な原因となっている。
【０００３】
これまで業者の中には、使用者の負担を軽減するために、モップに用いる脱水装置を研究開発している。その動作方法は、ペダルにより歯車を動かして、脱水かごを単一方向に高速回転させて、脱水かごに保持しているモップを遠心力を発生させることにより脱水して水切りを行なうものである。然しながら、このような装置設計は、手でモップの洗浄布を絞る手間は無くなるが、該装置構造は、単に槽に回転可能な脱水かごを設置したものに過ぎず、更にペダルを踏んで脱水かごを回動させて遠心力による回転脱水の動作を行なうため、モップの回転盤は完全に脱水かごの中に収納されるが、脱水かごとモップ回転盤との間には、いずれの緊密に係止する構造設計はなく、単にモップの回転盤を脱水かごに置いただけであるので、脱水かごが回転するとモップの回転盤が遠心脱水する際に、モップの柄とモップ回転盤が傾斜及び揺動しやすく、使用者がしっかり持って力を入れて遠心脱水しなければならず、また力の入れ方が不当なために脱水かごの回転速度が速くなりすぎ、モップが回転盤とともに揺れる角度が大きくなって、脱水かごと回転盤との間が衝突して水が周囲にはねるといった情況が発生し、遠心脱水の効率に大きく影響すると同時に、飛び跳ねた水が周囲の床に撒かれるので、清掃時に不便であり、全体的な構造設計にはまだ改善の余地がある。
【０００４】
上記の問題に鑑みて、いかにモップを軽々と脱水し、使用者が更に便利に且つ迅速にモップ脱水の動作を完了して、使用者の床清掃の仕事負担を軽減できるかが、大手メーカ各社の解決すべき問題であった。 
【考案の概要】
【考案が解決しようとする課題】
【０００５】
本考案は上記の従来の欠点に鑑みてなされたものであり、清掃用具及び脱水かごを備えた清掃用具セットを提供することを目的とする。このうち、清掃用具は、モップ本体、接続部、結合部、台座、回転盤、洗浄盤を有する。モップ本体の一端は接続部と接続し、接続部には一対のジョイントを有し、該ジョイントに対して中央に収容空間が形成されている。結合部は一対の結合ブロック及び上押圧部材を有し、結合ブロックを上押圧部材の上に設置し、結合ブロックに対して中央に嵌合溝を形成しており、上押圧部材がこの嵌合溝に対応する箇所に嵌合孔を開口して、結合部が接続部の収容空間に嵌設され、且つ結合ブロックとジョイントに対応して設置される。回転盤は頂面と底面を有し、且つ回転盤中央の嵌合孔に対応する箇所に回転孔を開口して、結合部の上押圧部材を頂面上の回転盤の回転孔周縁に押圧保持する。さらに、洗浄部を有する洗浄盤を回転盤の底面に組み込む。台座には突起部及び下押圧部材を有し、突起部は回転盤孔から結合部の嵌合溝に貫入し、下押圧部材が回転盤開孔周縁の底面から支持し、下押圧部材の下端に第一位置決め部を形成している。脱水槽は本体及び脱水かごを備え、脱水かご中央に第２位置決め部を設け、下押圧部材の下端にある第１位置決め部と第２位置決め部とが互いに組み合わさる。
【０００６】
前記清掃用具セットは、前記本体の底部に第２位置決め部を有する洗浄部が設けられている。
【０００７】
前記清掃用具セットは、前記第２位置決め部が着脱自在に設けられている。
【０００８】
前記清掃用具セットは、前記接続部のジョイント、結合部の結合ブロック及び台座の突起部の対応する位置にはそれぞれピン孔が開口している。
【０００９】
前記清掃用具セットは、さらに前記ピン孔に差し込むピン部材を含む。
【００１０】
前記清掃用具セットは、回転盤の底面周縁に洗浄盤を回転盤の底面に組み込む組み立て部を設置している。
【００１１】
前記清掃用具セットは、結合部の結合ブロックと上押圧部材が一体成型されている。
【００１２】
前記清掃用具セットは、台座の突起部と下押圧部材が一体成型されている。
【考案の効果】
【００１３】
上記の説明から分かるように、本考案は、清掃用具セットであって、清掃用具の台座の下押圧部材に第１位置決め部を有し、脱水槽の脱水かごに第２位置決め部を有し、且つ第１位置決め部と第２位置決め部を互いに組合せることで、使用時に清掃用具の第１位置決め部と脱水かごの第２位置決め部が互いに係止するので、使用中清掃用具が左右に揺動して力を入れにくくなったり、水が飛びはねることが無いため、脱水動作がより安定する清掃用具を提供することを目的とする。
【図面の簡単な説明】
【００１４】
【図１】本考案の清掃用具セットの立体分解図である。
【図２】本考案の清掃用具セットの一部拡大立体図である。
【図３】本考案の清掃用具セットの一部拡大前面図である。
【図４】本考案の清掃用具セットの一部拡大上面図である。
【図５】本考案の清掃用具セットの立体組み立て断面図である。
【図６】本考案の清掃用具セットの台座における第一位置決め部の略図。
【図７】本考案の清掃用具セットの立体略図である。
【図８】本考案の脱水槽の立体図である。
【図９】本考案の脱水かごの洗浄部一部立体図である。
【考案を実施するための形態】
【００１５】
本考案が開示する清掃用具セットにおいて、本考案が利用した回転脱水の原理は、この分野における通常の知識を有する者であれば理解できるものなので、以下の説明ではその描写を割愛する。同時に、以下文中で対照している図は、本考案の特徴の意義を表すためのもので、実際の情況に応じた完全な製図ではないことを先に述べておく。
【実施例１】
【００１６】
まず、図１及び図２をみると、本考案の清掃用具セットは、清掃用具１０及び脱水槽９０を備え、このうち清掃用具１０はモップ本体１、接続部２、結合部３、台座４、回転盤５、洗浄盤６を有する。前記モップ本外１の一端と接続部２とは接続しており、接続部２は一対のジョイント２１を備え、前記ジョイント２１の中央に収容空間７を形成している。また、結合部３には、一対の結合ブロック３１及び上押圧部材３２を備えており、前記結合ブロック３１と上押圧部材３２は一体成型されている。結合ブロック３１の中央に嵌合溝８（図３に示す）を形成し、上押圧部材３２の嵌合溝８に対応する箇所に嵌合孔３３を開口して（図４に示す）、結合部３が接続部２の収容空間７に嵌め込まれ、且つ結合ブロック３１がジョイント２１に対応するように設置されている。台座４は一体成型された突起部４１及び下押圧部材４２とを有し、突起部４１は回転孔５１を結合部３の嵌合溝８まで貫通して、下押圧部材４２の下端に第１位置決め部４３（図５及び図６を示す）を形成する。回転盤５は頂面と底面とを有し、且つ回転盤５の中央の嵌合孔３３に対応するように回転孔５１を開口している。結合部３の上押圧部材３２は頂面から回転孔５１周囲を押圧保持し、台座４の下押圧部材４２が回転盤底面の回転盤孔５１の周縁を支持している。洗浄盤６は着脱自在に回転盤５の底面に組み込まれ、且つ洗浄盤６は洗浄部（図示せず）をそなえ、前記洗浄部はモップ布、スポンジ、綿、洗浄ゴム、不織布、ワイパー、静電紙、ドライペーパー、たわしなど同様の洗浄機能を有する洗浄部材をつけてもよい。
【００１７】
再度、図１及び図２を見ると、接続部２のジョイント２１、結合部３の結合ブロック３１及び台座４の突起部４１の対応する位置にそれぞれピン孔２２を開口している。ピン部材２３がピン孔２２を貫通することで接続部２、結合部３及び台座４を接続組み合わせると同時に、結合部３の上押圧部材３２と台座４の下押圧部材４２が回転盤５をその間に挟持する。ピン部材２３はねじ、ナット、ピンなどの部材でもよい。本考案における第１の位置決め部材４３及び第２位置決め部材４４決め部材は、それぞれ十字型凹部及び十字型凸部であり、互いに係止するが、形状はこれに限られない。
【００１８】
次に図１と図５をみると、回転盤５の底面周縁に組み立て部５２が設置され、洗浄盤６が組立て部５２により回転盤５の底面に組立てされる。図７には、本考案を組立て結合する際に、結合部３を結合ブロック３１により接続部２に位置するジョイント２１内に貫通させ、且つ前記結合部３の結合ブロック３１と対応させて互いに接続部２のジョイント２１及び台座４の突起部４１に嵌め込み、さらにピン部材２３をピン孔２２に通して結合してなる。また、回転盤５中央の回転穴５１が結合部３の上押圧部材３２の嵌合孔３３に対応し、台座４の突起部４１が回転孔５１から嵌合孔３３を貫通して嵌合溝まで挿入されることで、結合部３の上押圧部材３２と台座４の下押圧部材４２を利用して回転盤５を結合部３と台座４との間に挟設すると同時に、上押圧部材３２と下押圧部材４２を利用して回転盤５を挟持するので、長時間使用しても回転孔５１の周縁は、接続部２のジョイント２１と接触することで摩損しない。さらに、回転盤５の底部周囲に設けた組立て部５２と洗浄盤６の頂面周囲に設けた組立て部５２が係止結合し、位置決めされて組立て結合が完了する。
【００１９】
図８をみると、脱水槽９０は本体９１と脱水かご９２とを有し、脱水かご９２中央に第２位置決め部４４を設けている。図９を見ると、さらに、本体９１の底部に洗浄部９３を設けており、洗浄部９３には第２位置決め部４４が設けられている。図８及び図９を同時に参照すると、本体９１に洗浄用水を入れて、脱水槽９０の洗浄部９３に第２位置決め部４４を設けることで、清掃用具１０における第１位置決め部４３と緊密に接合して、清掃用具１０が洗浄用水の中で回転洗浄の動作を行ない、水中で洗浄する目的を達成することができる。さらに、第２位置決め部４４を着脱自在に設計して、応用上の情況に応じて、第３位置決め部４５をはずせば、脱水槽９０がより広い範囲で応用できる。清掃用具１０を洗浄したあと、再度洗浄用具１０上の第１位置決め部４３と脱水槽９０の脱水かご９２上にある第２位置決め部４４とを緊密に接合して、回転脱水の動作を行なうことで、清掃作業に必要な洗浄と脱水を簡単な動作でらくらくと完成することができる。
【００２０】
以上の本考案構造の組成と使用実施の説明から分かるように、清掃用具１０が脱水かご９２において回転をともなう慣性運動を行なって脱水をするなかで、本考案は、回転盤５と脱水かご９２が位置決め部でしっかりと係止して緊密に接合位置決めしているので、左右に揺れにくく、市場で一般に使用されている清掃用具１０の脱水装置及び方法と比較しても、脱水操作を更に安定的に行なうことができ、使用者が力を入れにくいために、又は力の入れ具合が不当なために水が飛び散ることがなく、清掃作業の効率を向上することができる。
【００２１】
以上、本考案の実施例を図面を参照して詳述してきたが、具体的な構成は、この実施例に限られるものではなく、本考案の要旨を逸脱しない範囲の設計変更等があっても、本考案に含まれる。
【符号の説明】
【００２２】
清掃用具        １０
モップ本体      １
接続部          ２
ジョイント      ２１
ピン通孔        ２２
ピン組件        ２３
結合部          ３
結合ブロック    ３１
上押圧部材      ３２
嵌合孔          ３３
台座            ４
突起部          ４１
下押圧部材      ４２
第１位置決め部  ４３
第２位置決め部  ４４
回転盤          ５
回転孔          ５１
組合部          ５２
洗浄盤          ６
収容空間        ７
嵌合溝          ８
脱水槽          ９０
本体            ９１
脱水かご        ９２
洗浄部          ９３
【図１】
0003181661.tif 000003
【図２】
0003181661.tif 000004
【図３】
0003181661.tif 000005
【図４】
0003181661.tif 000006
【図５】
0003181661.tif 000007
【図６】
0003181661.tif 000008
【図７】
0003181661.tif 000009
【図８】
0003181661.tif 000010
【図９】
0003181661.tif 000011